(57)【要約】      （修正有）【課題】作業困難な箇所に排気口を有する換気設備のフィルターを、容易にメンテナンスできる換気構造を提供する。【解決手段】建物の外壁に設けられた排気口と、建物の内側空間に配設され、一端が前記排気口に接続されるとともに、他端が前記内側空間と連通するダクト４０と、を備える建物の換気構造において、ダクト４０には、ダクト４０の延設方向と直交するようにスリット５１ａが形成され、スリット５１ａに着脱可能に差し込まれるフィルター部材５２を備える。【選択図】図２
2016200320.tif 000002
【特許請求の範囲】
【請求項１】
建物の外壁に設けられた排気口と、前記建物の内側空間に配設され、一端が前記排気口に接続されるとともに、他端が前記内側空間と連通するダクトと、を備える建物の換気構造において、
前記ダクトには、当該ダクトの延設方向と直交するようにスリットが形成され、
前記スリットに着脱可能に差し込まれるフィルター部材を備えることを特徴とする建物の換気構造。
【請求項２】
請求項１に記載の建物の換気構造において、
前記フィルター部材は、
前記スリットを通って前記ダクト内に配置される網状部と、
前記網状部の縁であって、前記スリットに差し込まれたときに前記スリットから露出する部分に、前記縁に沿って延びるとともに前記ダクトの延設方向に沿って延びるカバー部を備えることを特徴とする建物の換気構造。
【請求項３】
請求項２に記載の建物の換気構造において、
前記ダクトの外面における前記スリットの周囲の部分、または前記カバー部の前記ダクトと当接する面に、シール材が設けられていることを特徴とする建物の換気構造。
【請求項４】
請求項１から３の何れか一項に記載の建物の換気構造において、
前記ダクトの中間部は水平方向に延設され、
前記スリットは、前記中間部の上部に形成されていることを特徴とする建物の換気構造。
【請求項５】
請求項１から４の何れか一項に記載の建物の換気構造において、
前記ダクトにおける前記スリットが形成された部位は、前記排気口と略同じ高さに配置され、
前記内側空間を形成する床面は、前記建物が建てられる地面よりも高くなっていることを特徴とする建物の換気構造。
【請求項６】
請求項１から５の何れか一項に記載の建物の換気構造において、
前記ダクトは、前記建物の内側空間に設けられた天井板の上に、前記天井板に形成された第一開口部の上方を通るように配設されるとともに、他端が前記天井板に設けられた第二開口部を介して前記内側空間と連通しており、
前記スリットは、前記ダクトにおける前記第一開口部の上方に位置する部位に形成されていることを特徴とする建物の換気構造。
【発明の詳細な説明】
【技術分野】
【０００１】
本発明は、建物に設けられる換気構造に関する。
【背景技術】
【０００２】
近年、外壁に設けられた吸気口および排気口と、天井に設けられた換気扇と、換気扇と排気口とを接続するダクトと、で構成された換気設備を備え、換気扇を回すことにより、室内の空気を排気口から排出するとともに、吸気口から外気を取り込むようにした建物が増えている。
係る換気設備においては、虫や小動物がダクトを通って室内に侵入するのを防ぐため、例えば特許文献１に示すように、排気口に網状のフィルターを設けるといったことが行われている。
【先行技術文献】
【特許文献】
【０００３】
【特許文献１】特開２０１４−１２２７５３号公報
【発明の概要】
【発明が解決しようとする課題】
【０００４】
フィルターを備える換気設備は、フィルターにゴミや埃等が付着することにより、換気機能が次第に低下してくる。このため、定期的にフィルターを掃除する等のメンテナンスが必要になる。しかしながら、特許文献１に示したように排気口にフィルターが設けられていると、例えば、排気口が高所に設けられている、排気口の近傍に障害物が存在する、等といった場合のメンテナンスが大変困難なものとなってしまう。
【０００５】
本発明は、上記課題に鑑みてなされたもので、作業困難な箇所に排気口を有する換気設備のフィルターを、容易にメンテナンスできるようにすることを目的とする。
【課題を解決するための手段】
【０００６】
上記課題を解決するため、請求項１に記載の発明は、例えば図１，２に示すように、建物１の外壁１０に設けられた排気口１１と、前記建物１の内側空間Ｓに配設され、一端が前記排気口１１に接続されるとともに、他端が前記内側空間Ｓと連通するダクト４０と、を備える建物１の換気構造１ａにおいて、前記ダクト４０には、当該ダクト４０の延設方向と直交するようにスリット５１ａが形成され、前記スリット５１ａに着脱可能に差し込まれるフィルター部材５２を備えることを特徴とする。
【０００７】
請求項１に記載の発明によれば、フィルター部材５２にごみや埃等が付着して換気機能が低下してしまった場合に、建物１の内側空間Ｓにおいてスリット５１ａからフィルター部材５２を抜き取り、掃除等のメンテナンスをすることができる。このため、排気口１１の近傍に障害物が存在する等、排気口１１が作業困難な箇所に設けられている場合であっても、容易にメンテナンスを行うことができる。
【０００８】
請求項２に記載の発明は、請求項１に記載の建物１の換気構造１ａにおいて、例えば図２に示すように、前記フィルター部材５２は、前記スリット５１ａを通って前記ダクト４０内に配置される網状部５３と、前記網状部５３の縁であって、前記スリット５１ａに差し込まれたときに前記スリット５１ａから露出する部分に、前記縁に沿って延びるとともに前記ダクト４０の延設方向に沿って延びるカバー部５４を備えることを特徴とする。
【０００９】
請求項２に記載の発明によれば、フィルター部材５２をスリット５１ａに差し込んだときに、カバー部５４がダクト４０の外面に当接するので、網状部５３をダクト４０内で倒れないよう支持することができる。また、カバー部５４がスリット５１ａと網状部５３との間にできる隙間を塞ぐので、スリット５１ａから空気が漏れるのを防ぎ、換気を確実に行うことができる。
【００１０】
請求項３に記載の発明は、請求項２に記載の建物１の換気構造１ａにおいて、例えば図２に示すように、前記ダクト４０の外面における前記スリット５１ａの周囲の部分、または前記カバー部５４の前記ダクト４０と当接する面に、シール材５１ｂが設けられていることを特徴とする。
【００１１】
請求項３に記載の発明によれば、カバー部５４またはダクト４０がシール材５１ｂに当接することにより、スリット５１ａと網状部５３との隙間をより確実に塞ぐことができる。
【００１２】
請求項４に記載の発明は、請求項１から３の何れか一項に記載の建物１の換気構造１ａにおいて、例えば図１，２に示すように、前記ダクト４０の中間部５０は水平方向に延設され、前記スリット５１ａは、前記中間部５０の上部に形成されていることを特徴とする。
【００１３】
中間部５０のように、ダクト４０に水平方向に延設されている部分があると、排気口１１から雨水等が入ってきた場合、或いはダクト４０に入ってきた湿気がダクト４０内で結露した場合等に、中間部５０に水が溜まる可能性がある。しかし、請求項４に記載の発明によれば、スリット５１ａは中間部５０の上部に形成されるので、ダクト４０に溜まった水が漏れるのを防ぐことができる。
【００１４】
請求項５に記載の発明は、請求項１から４の何れか一項に記載の建物１の換気構造１ａにおいて、前記ダクト４０における前記スリット５１ａが形成された部位５０は、前記排気口１１と略同じ高さに配置され、前記内側空間Ｓを形成する床面は、前記建物が立設される地面よりも高くなっていることを特徴とする。
【００１５】
請求項５に記載の発明によれば、内側空間Ｓの床面からフィルター部材５２までの距離は、地面から排気口１１までの距離よりも短くなる。このため、床面を足場とすることにより、フィルター部材５２に手が届きやすくなるので、従来のように建物１の外側から行う場合よりも容易にメンテナンスを行うことができる。
【００１６】
請求項６に記載の発明は、請求項１から５の何れか一項に記載の建物１の換気構造１ａにおいて、前記ダクト４０は、前記建物１の内側空間Ｓに設けられた天井板２１の上に、前記天井板２１に形成された第一開口部２１ａの上方を通るように配設されるとともに、他端が前記天井板２１に設けられた第二開口部２１ｃを介して前記内側空間Ｓと連通しており、前記スリット５１ａは、前記ダクト４０における前記第一開口部２１ａの上方に位置する部位５０に形成されていることを特徴とする。
【００１７】
請求項６に記載の発明によれば、ダクト４０が天井板２１に遮蔽されるので、内側空間Ｓの美観を損なうことなく換気構造１ａを設けることができる。また、フィルター部材５２が第一開口部２１ａの近傍に取り付けられているので、容易にメンテナンスすることができる。
【発明の効果】
【００１８】
本発明によれば、作業困難な箇所に排気口を有する換気設備のフィルターを、容易にメンテナンスすることができる。
【図面の簡単な説明】
【００１９】
【図１】本発明の実施形態に係る換気構造の概略図である。
【図２】図１の換気構造の要部を示す分解斜視図である。
【発明を実施するための形態】
【００２０】
以下、図面を参照して、本発明の実施の形態について詳細に説明する。図１は本発明の実施形態に係る換気構造１ａを側方から見た概略図であり、図２は図１の換気構造１ａの要部を示す分解斜視図である。
【００２１】
本実施形態の建物１は、内側に部屋Ｓ（内側空間）を有しており、その部屋Ｓに換気構造１ａが備えられている。部屋Ｓを形成する図示しない床面は、建物１が建てられている地面よりも高くなっている（部屋Ｓが複数階建ての建物１の上階の部屋である場合等も含む）。
換気構造１ａは、建物１内の換気を行うためのものである。この換気構造１ａは、図１に示すように、外壁１０と、天井２０と、換気扇３０と、ダクト４０と、で構成されている。
【００２２】
外壁１０には、吸気口（図示省略）および壁排気口１１が形成されている。壁排気口１１には、外壁フード１２が取り付けられている。外壁フード１２は、下方に向かって開口するように形成され、雨水等が壁排気口１１内に侵入するのを防ぐことができるようになっている。
【００２３】
天井２０は、建物１の部屋Ｓの上部に配置された図示しない吊木や野縁に複数の天井板２１を水平方向に並べて取り付けることにより構成されている。外壁１０から所定距離離れた位置に配置された天井板２１には、第一開口部２１ａが形成され、扉２１ｂによって開閉可能となっている。なお、図１には、扉２１ｂとして回動式のものを示したが、天井面に沿ってスライドさせるタイプのものや、取り外し可能なタイプのものとしてもよい。また、外壁１０から遠のく方向に第一開口部２１ａから所定距離離れた位置に配置された天井板２１には、第二開口部２１ｃが設けられている。
【００２４】
換気扇３０は、天井フード３１と、図示しないモーターと、ファン３２と、天井カバー３３と、で構成されている。
天井フード３１は、下面が開口した箱状に構成されている。天井フード３１の側面または上面（図１には側面の場合を示した）にフード排気口３１ａが形成されている。天井フード３１は、天井板２１の上に、下面が第二開口部２１ｃと重なるように配置されている。
モーター及びファン３２は、天井フード３１内に配置され、下面の開口から空気を取り込み、フード排気口３１ａに送り出すことが可能に構成されている。
天井カバー３３は、網目やスリットなどが形成された板状の部材で、天井フード３１の下に、天井板２１の第二開口部２１ｃを覆うように取り付けられている。
【００２５】
ダクト４０は、第一ダクト４１、第二ダクト４２、第三ダクト５０と、で構成され、部屋Ｓの上部に水平方向に配設されている。
第一ダクト４１は、蛇腹状の筒部材で、壁排気口１１から離れた側の端部（以下一端部）が換気扇３０のフード排気口３１ａに接続されるとともに、天井板２１の第一開口部２１ａの上方に向かって水平に延設されている。
第二ダクト４２は、蛇腹状の筒部材で、壁排気口１１寄りの端部（以下他端部）が壁排気口１１に接続されるとともに、天井板２１の第一開口部２１ａの上方に向かって水平に延設されている。
【００２６】
第三ダクト５０は、図２に示すように、ダクト本体５１と、フィルター部材５２と、固定部材５７と、で構成されている。
ダクト本体５１は、第一ダクト４１および第二ダクト４２に挿入可能な断面形状（本実施形態では円形）およびサイズの筒部材で、中央部における上半分の部位に、ダクト本体５１の延設方向と直交するようにスリット５１ａが切られている。また、ダクト本体５１の外面におけるスリット５１ａの周囲には、弾力性を有するシール材５１ｂが、スリット５１ａに沿うように設けられている。そして、ダクト本体５１は、図１に示したように、一端部が第一ダクト４１の他端部に接続されるとともに、他端部が第二ダクト４２の一端部に接続され、天井板２１の第一開口部２１ａの上方に配置されている。
【００２７】
フィルター部材５２は、図２に示したように、網状部５３と、カバー部５４と、で構成されている。
網状部５３は、網材を、その輪郭が、ダクト本体５１の、延設方向と直交する断面の形状（本実施形態では円形）を僅かに（数ｍｍ程度）小さくした形状となるように切り取ったものから更に両側端部を鉛直方向に切断した形状となっており、スリット５１ａへ容易に差し込むことができるようになっている。
カバー部５４は、網状部５３の縁部の上半分の部位に、縁部に沿った形状（本実施形態では半円状）に、かつ、網状部の厚さ方向両側に延びるように形成されている。カバー部５４の両端部には、穴５５ａを有する第一固定部５５が互いに遠のくようにそれぞれ延設されている。また、カバー部５４の上部には、把手５６が形成されている。
【００２８】
固定部材５７は、ダクト本体５１の延設方向と直交する断面の形状に曲げられた帯状の部材で、ダクト本体５１の下部に、スリット５１ａの延長線上に位置するように取り付けられている。固定部材５７の両端部には、穴５８ａを有する第二固定部５８が互いに遠のくようにそれぞれ延設されている。
【００２９】
このように構成されたダクト本体５１に、フィルター部材５２が差し込まれると、網状部５３が、その縁とダクト本体の内周面との間にほぼ隙間のない状態でダクト本体５１内に配置される。そして、カバー部５４が、ダクト本体５１の外面に設けられたシール材５１ｂに密着してスリット５１ａが閉塞される。また、フィルター部材５２の第一固定部５５と固定部材５７の第二固定部５８とが当接する。この第二固定部５８の穴５８ａにねじやボルトなどの固定具５９を通し、第一固定部５５の穴５５ａに螺入させる、或いは固定具５９の穴５５ａの上方に突出した部分にナットを螺合させることにより、フィルター部材５２がダクト本体５１に固定される。
【００３０】
このように構成された換気構造１ａは、換気扇３０を作動させると、換気扇が部屋Ｓの空気を取り込んで壁排気口１１から排出するとともに、図示しない吸気口から外気を取り込んで建物１の換気を行う。
【００３１】
換気が長期間に亘って行われると、網状部５３にゴミや埃が付着し、換気構造１ａの換気性能が次第に低下してくる。その場合には、まず、天井２０の扉２１ｂを開ける。すると、第一開口部２１ａから第三ダクト５０の下部が見えるので、第一開口部２１ａから工具を用いて固定具５９を取り外し、フィルター部材５２をスリット５１ａから引き抜く。このとき、ダクト４０の中には雨水や結露により生じた水が溜まっている場合があるが、スリット５１ａはダクト本体５１の上半分に形成されているので、フィルター部材５２を取り外した時に落ちてくることは無い。取り外したフィルター部材５２は、そのまま建物１内で掃除すればよい。掃除を行った後は、フィルター部材５２を再びスリット５１ａに差し込んで固定し、扉２１ｂを閉じる。
【００３２】
このように、本実施形態の換気構造１ａは、フィルター部材５２の一連のメンテナンスを全て室内で完結させることができるので、外壁１０に近接して隣の建物が設けられている等、作業困難な箇所に壁排気口１１が設けられている場合であっても、容易にメンテナンスを行うことができる。
【００３３】
また、上述したように、第三ダクト５０を含むダクト４０は水平に配設されているので、壁排気口１１とダクト本体５１に取り付けられるフィルター部材５２とは略同じ高さに位置することになる。そして、建物１の部屋Ｓの床面は、地面よりも高くなっているので、床面からフィルター部材５２までの距離は、地面から壁排気口１１までの距離よりも短いということになる。つまり、従来のように壁排気口１１にフィルター部材が設けられていた場合よりも、手が届きやすいという点で、メンテナンスが容易になる。
【００３４】
以上のように、本実施形態では、図１，２に示したように、建物１の外壁１０に設けられた壁排気口１１（排気口）と、建物１の部屋Ｓ（内側空間）に配設され、一端が壁排気口１１に接続されるとともに、他端が部屋Ｓと連通するダクト４０と、を備える建物１の換気構造１ａにおいて、第三ダクト５０（ダクト）には、当該第三ダクト５０の延設方向と直交するようにスリット５１ａが形成され、スリット５１ａに着脱可能に差し込まれるフィルター部材５２を備えるものとした。
【００３５】
こうすることで、フィルター部材５２にごみや埃等が付着して換気機能が低下してしまった場合に、建物１の部屋Ｓにおいてスリット５１ａからフィルター部材５２を抜き取り、掃除等のメンテナンスをすることができる。このため、壁排気口１１の近傍に障害物が存在する等、壁排気口１１が作業困難な箇所に設けられている場合であっても、容易にメンテナンスを行うことができる。
【００３６】
また、本実施形態では、図２に示したように、フィルター部材５２は、スリット５１ａを通って第三ダクト５０内に配置される網状部５３と、網状部５３の縁であって、スリット５１ａに差し込まれたときにスリット５１ａから露出する部分に、縁に沿って延びるとともに第三ダクト５０の延設方向に沿って延びるカバー部５４を備えるものとした。
こうすることで、フィルター部材５２をスリット５１ａに差し込んだときに、カバー部５４がダクト４０の外面に当接するので、網状部５３をダクト４０内で倒れないよう支持することができる。また、カバー部５４がスリット５１ａと網状部５３との間にできる隙間を塞ぐので、スリット５１ａから空気が漏れるのを防ぎ、換気を確実に行うことができる。
【００３７】
また、本実施形態では、図２に示したように、ダクト４０の外面におけるスリット５１ａの周囲の部分、またはカバー部５４のダクト４０と当接する面に、シール材５１ｂが設けられているものとした。
こうすることで、カバー部５４またはダクト４０がシール材５１ｂに当接することにより、スリット５１ａと網状部５３との隙間をより確実に塞ぐことができる。
【００３８】
また、本実施形態では、図１，２に示したように、第三ダクト５０（ダクトの中間部）は水平方向に延設され、スリット５１ａは、第三ダクト５０の上部に形成されているものとした。
第三ダクト５０のように、ダクト４０に水平方向に延設されている部分があると、壁排気口１１から雨水等が入ってきた場合、或いはダクト４０に入ってきた湿気がダクト４０内で結露した場合等に、第三ダクト５０に水が溜まる可能性がある。しかし、こうすることで、スリット５１ａは第三ダクト５０の上部に形成されるので、第三ダクト５０に溜まった水が漏れるのを防ぐことができる。
【００３９】
また、本実施形態では、部屋Ｓを形成する床面は、建物１が建てられる地面よりも高くなっているものとした。
こうすることで、部屋Ｓの床面からフィルター部材５２までの距離は、地面から壁排気口１１までの距離よりも短くなる。このため、床面を足場とすることにより、フィルター部材５２に手が届きやすくなるので、従来のように建物１の外側から行う場合よりも容易にメンテナンスを行うことができる。
【００４０】
また、本実施形態では、図１に示したように、ダクト４０は、建物１の部屋Ｓに設けられた天井板２１の上に、天井板２１に形成された第一開口部２１ａの上方を通るように配設されるとともに、他端が天井板２１に設けられた第二開口部２１ｃを介して部屋Ｓと連通しており、スリット５１ａは、ダクト４０における第一開口部２１ａの上方に位置する第三ダクト５０（部位）に形成されているものとした。
こうすることで、ダクト４０が天井板２１に遮蔽されるので、部屋Ｓの美観を損なうことなく換気構造１ａを設けることができる。また、フィルター部材５２が第一開口部２１ａの近傍に取り付けられているので、容易にメンテナンスすることができる。
【００４１】
以上、本発明を実施形態に基づいて具体的に説明してきたが、本発明は上記実施形態に限定されるものではなく、その要旨を逸脱しない範囲で変更可能である。
例えば、本実施形態では、３つに分割されたダクト４０を用いたが、２つ、或いは４つ以上に分割されたものを用いてもよいし、分割されていない１本のダクトとしてもよい。
また、上記実施形態では、ダクト本体５１にシール材５１ｂを設けたが、フィルター部材５２のカバー部５４のダクト本体５１との当接面に設けてもよい。
【００４２】
また、上記実施形態では、外壁フード１２を雨水が入り込むのを防ぐだけのものとしたが、外壁フード１２の開口部に、ゴミや埃で詰まることは少ないが小動物の侵入は防げる程度に網目が粗いフィルターを設けてもよい。このようにすれば、外側からメンテナンスを行うことなく、壁排気口１１からフィルター部材５２の間に小動物が住み着いてしまうと言ったことを防ぐことができる。
また、上記実施形態では、部屋Ｓの床面を地面よりも高いものとしたが、フィルター部材５２が部屋Ｓにおいて着脱可能でさえあれば、地面と同じ或いは地面よりも低くてもよい。
【００４３】
また、上記実施形態では、網状部５３の輪郭をダクト本体５１の内径よりも僅かに小さい円の両側端部を鉛直方向に切断した形状とすることにより、網状部５３の両端とカバー部５４の両端部との間に隙間を形成し、網状部５３をスリット５１ａに挿入し易くしたが、ダクト本体５１の内径とほぼ同径の円形として、ダクト本体５１の内面と網状部５３の縁との間に隙間ができないようにしてもよい。なお、ダクト本体５１の断面形状が円形と異なる場合には、その断面形状に合わせて適宜変更すればよい。
また、上記実施形態では、網状部５３を、網材を上記輪郭となるように切り取ったものとしたが、空気の通過を許容しつつ虫や小動物の侵入を阻害できるようになっていればどのようなものであってもよく、例えば、上記輪郭に切り取られた板材に複数のスリットや穴を形成したものとしてもよい。
【００４４】
また、上記実施形態では、固定部５５，５８に形成された穴５５ａ，５８ａにねじやボルト等の固定具を通して固定したが、両固定部５５，５８に穴を形成せずにこれらをクリップで挟む、或いはバンドやベルトで囲んで締めることにより固定してもよいし、固定部５５，５８や、固定部材５７を用いずに、フィルター部材５２のカバー部５４とダクト本体５１の下部とをバンドやベルトで囲んで締めることにより固定してもよい。
【符号の説明】
【００４５】
１    建物
１ａ  換気構造
１０  外壁
１１  壁排気口（排気口）
１２  外壁フード
２０  天井
２１  天井板
２１ａ      第一開口部
２１ｂ      扉
２１ｃ      第二開口部
３０  換気扇
３１  天井フード
３１ａ      フード排気口
３２  ファン
３３  天井カバー
４０  ダクト
４１  第一ダクト
４２  第二ダクト
５０  第三ダクト（ダクトの中間部、ダクトにおける第一開口部の上方に位置する部位）
５１  ダクト本体
５１ａ      スリット
５１ｂ      シール材
５２  フィルター部材
５３  網状部
５４  カバー部
５５  第一固定部
５５ａ      穴
５６  把手
５７  固定部材
５８  第二固定部
５８ａ      穴
５９  固定具
Ｓ    部屋（内側空間）
【図１】
2016200320.tif 000003
【図２】
2016200320.tif 000004